(57)【要約】      （修正有）【課題】歯ブラシに適用され、細菌を抑制でき、保健効果を有し、歯をホワイトニングする効果を有する保健効果付きブラシ用毛を提供する。【解決手段】歯ホワイトニング材料と樹脂材料とから構成される保健効果付きブラシ用毛１において、前記ブラシ用毛１には、複数の細菌抑制活性化粒が均一に分布されていることを特徴とし、また、ハンドル２に結合して歯ブラシを形成でき、さらに、前記ハンドル２には、複数の前記細菌抑制活性化粒が均一に分布されていることを特徴とする。【選択図】図２
0003180294.tif 000002
【実用新案登録請求の範囲】
【請求項１】
歯ホワイトニング材料と樹脂材料とから構成される保健効果付きブラシ用毛において、
前記ブラシ用毛には、複数の細菌抑制活性化粒が均一に分布されていることを特徴とする保健効果付きブラシ用毛。
【請求項２】
ハンドルに結合して歯ブラシを形成できることを特徴とする、請求項１に記載の保健効果付きブラシ用毛。
【請求項３】
前記ハンドルには、複数の前記細菌抑制活性化粒が均一に分布されていることを特徴とする、請求項２に記載の保健効果付きブラシ用毛。
【考案の詳細な説明】
【技術分野】
【０００１】
本考案は、ブラシ用毛に関し、特に、歯ブラシに適用され、細菌を抑制でき、保健効果を有し、歯をホワイトニングする効果を有する保健効果付きブラシ用毛に関するものである。
【背景技術】
【０００２】
歯ブラシは、浴室に置かれることが一般であるが、湿気がある浴室に歯ブラシを長時間に放置すると、歯ブラシの毛及びハンドルにカビが発生しやすい。一般の歯ブラシは細菌を抑制する効果を有しないため、細菌が歯ブラシの毛及びハンドルに付着して繁殖しやすい。このように、ユーザがこのような歯ブラシを利用すると、細菌やカビがユーザに食べられて、ユーザの健康に悪影響を与える。
【０００３】
また、自己の外見を重要視する国民が増えているため、歯をホワイトニングする美容コースを購入する国民も増加している。しかし、このような美容コースを長期間にやると、膨大な費用が必要である問題があった。
【考案の概要】
【考案が解決しようとする課題】
【０００４】
本考案の主な目的は、歯ブラシに適用され、細菌を抑制でき、保健効果を有し、歯をホワイトニングする効果を有する保健効果付きブラシ用毛を提供することにある。
【課題を解決するための手段】
【０００５】
本考案の保健効果付きブラシ用毛によると、ブラシ用毛を含み、ブラシ用毛は、歯ホワイトニング材料と樹脂材料とから構成される保健効果付きブラシ用毛において、
ブラシ用毛の内部には、複数の細菌抑制活性化粒が均一に分布されていることを特徴とする。
【０００６】
本考案の保健効果付きブラシ用毛によると、ブラシ用毛は、ハンドルに結合して歯ブラシを形成できることを特徴とする。
【０００７】
本考案の保健効果付きブラシ用毛によると、ハンドルの内部には、複数の細菌抑制活性化粒が均一に分布されていることを特徴とする。
【考案の効果】
【０００８】
本考案の保健効果付きブラシ用毛によれば、次のような効果がある。
（１）本考案の保健効果付きブラシ用毛は、リン灰石やポリリン酸ナトリウムなどの歯ホワイトニング材料を有するため、リン灰石やポリリン酸ナトリウムにより、歯を清潔する過程中に、歯を保護でき、歯の表面にある隙間を補填でき、歯の表面に保護膜が形成され、虫歯及び歯周症を減少でき、歯をホワイトニングする効果を有する。
【０００９】
（２）本考案の保健効果付きブラシ用毛は、細菌抑制活性化粒を有するため、遠赤外線及びマイナスイオンを同時に放出でき、細胞を活性化でき、血行を促進でき、細菌抑制及び除臭効果を有し、歯ブラシが浴室に長時間に置かれても、細菌が繁殖できない。
【００１０】
（３）本考案の保健効果付きブラシ用毛は、ナノ粒同士の隙間が水分子よりも小さいため、水分子が本考案の保健効果付きブラシ用毛の表面に付着できない。このように、ブラシ用毛とハンドルとの表面に水分子が付着しにくくため、ブラシ用毛とハンドルとを乾燥状態に保持でき、細菌が繁殖しにくく、チリダニもブラシ用毛とハンドルとの表面に付着できない。
【図面の簡単な説明】
【００１１】
【図１】本考案の一実施例の構成を示す模式図である。
【図１Ａ】本考案の一実施例の一部の構成を示す拡大断面図である。
【図２】本考案の一実施例がハンドルに結合された状態を示す模式図である。
【考案を実施するための最良の形態】
【００１２】
以下、本考案の実施の形態を図面に基づいて説明する。
図１及び図１Ａを参照する。図１は本考案の一実施例の構成を示す模式図であり、図１Ａは本考案の一実施例の一部の構成を示す拡大断面図である。本考案の保健効果付きブラシ用毛は、ブラシ用毛１を含む。ブラシ用毛１は、複数の細菌抑制活性化粒１０、歯ホワイトニング材料及び樹脂材料の混合物から、繊維を引き出して構成される。細菌抑制活性化粒１０は、ナノ重合物によりマイナスイオン粒１０１、ナノシルバー細菌抑制粒１０３及びナノ遠赤外線粒１０５を結合して構成される。これにより、複数の細菌抑制活性化粒１０は、歯ホワイトニング材料及び樹脂材料の混合物に均一に分布される。前記歯ホワイトニング材料は、リン灰石又はポリリン酸ナトリウムであるが、もちろん、これらに限定されない。
【００１３】
本考案のブラシ用毛１は、歯ブラシに適用可能であり、図２に示すように、ハンドル２に結合して歯ブラシを形成できる。ハンドル２は樹脂材料と複数の細菌抑制活性化粒を混合して一体成形されたものである。このように、上記の歯ブラシを利用するときには、歯磨きを使用することが必要せず、ブラシ用毛は、リン灰石やポリリン酸ナトリウムなどの歯ホワイトニング材料を有するため、リン灰石やポリリン酸ナトリウムにより、歯を清潔する過程中に、歯を保護でき、歯の表面にある隙間を補填でき、歯の表面に保護膜が形成され、虫歯及び歯周症を減少でき、歯をホワイトニングする効果を有する。
【００１４】
また、本考案のブラシ用毛１とハンドル２とは、樹脂材料と複数の細菌抑制活性化粒を混合して一体成形されたものであるため、上記の歯ブラシを利用するときには、細菌抑制活性化粒１０内のナノ遠赤外線粒１０５により、遠赤外線が放出されて、細胞を活性化でき、血行を促進でき、なお、細菌抑制活性化粒１０内のマイナスイオン粒１０１により、血液を浄化でき、免疫力を増加でき、そして細菌抑制活性化粒１０内のナノシルバー細菌抑制粒１０３により、ナノシルバー細菌抑制粒１０３が細菌に直接に進入して、細菌の代謝を阻止して細菌の繁殖を抑制できる。このように、歯ブラシが浴室に長時間に置かれても、細菌が繁殖できない。
【００１５】
そして本考案の保健効果付きブラシ用毛は、ナノ粒同士の隙間が水分子よりも小さいため、水分子が本考案の保健効果付きブラシ用毛の表面に付着できない。このように、ブラシ用毛１とハンドル２との表面に水分子が付着しにくくため、ブラシ用毛とハンドルとを乾燥状態に保持でき、細菌が繁殖しにくく、チリダニもブラシ用毛とハンドルとの表面に付着できない。
【００１６】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、ブラシ用毛に適用することができる。
【符号の説明】
【００１８】
１：ブラシ用毛
２：ハンドル
１０：細菌抑制活性化粒
１３：歯ホワイトニング材料及び樹脂材料の混合物
１０１：マイナスイオン粒
１０３：ナノシルバー細菌抑制粒
１０５：ナノ遠赤外線粒
【図１】
0003180294.tif 000003
【図１Ａ】
0003180294.tif 000004
【図２】
0003180294.tif 000005